【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
消費財の販売のためのシステムであって、該システムが売買物品を示す有効にされていない引換券を顧客に提供するように設計されており、該物品は、精算ユニットにより引換券がチェックをされたときに、精算ユニットにおいて顧客により料金が支払われるべきものであり、該精算ユニットは、物品分配装置と通信して、該物品の料金が支払われた後に第１のトランザクションコードを物品分配装置に提供する装置と、第２のトランザクションコードを保持する有効にされた引換券を顧客に提供するための装置とを有し、該有効にされた引換券は、物品分配装置内の比較装置の助けにより、購入した物品を物品分配装置から得るために使用されるべきものであり、該比較装置は、比較装置で入力された有効にされた引換券上のトランザクションコードと該通信装置により伝達されたトランザクションコードとを比較する、そして定義されたコードの一致が存在する場合に該物品を引き渡す、システムであって、
該有効にされた引換券が、
−  連続的に生成されたトランザクションコード、
−  ランダムに生成されたトランザクションコード、
−  予め決められた一連のトランザクションコード、および
−  有効にされていない引換券を提供する装置によって連続的にまたはランダムに生成されたユニークな引換券番号
からなる群から選択されるトランザクションコードを保持すること、ならびに
該有効にされた引換券が、精算ユニットにおける処理を介してトランザクションコードを付与された有効にされていない引換券であり、有効にされていない引換券を提供するための装置が、その起動時にその物品用の有効にされていない引換券を印刷しうる物品を表示する選択パネルによって制御される印刷装置であること
を特徴とする、システム。
【請求項２】
消費財の販売のためのシステムであって、該システムが売買物品を示す有効にされていない引換券を顧客に提供するように設計されており、該物品は、精算ユニットにより引換券がチェックをされたときに、精算ユニットにおいて顧客により料金が支払われるべきものであり、該精算ユニットは、物品分配装置と通信して、該物品の料金が支払われた後に第１のトランザクションコードを物品分配装置に提供する装置と、第２のトランザクションコードを保持する有効にされた引換券を顧客に提供するための装置とを有し、該有効にされた引換券は、物品分配装置内の比較装置の助けにより、購入した物品を物品分配装置から得るために使用されるべきものであり、該比較装置は、比較装置で入力された有効にされた引換券上のトランザクションコードと該通信装置により伝達されたトランザクションコードとを比較する、そして定義されたコードの一致が存在する場合に該物品を引き渡す、システムであって、
該有効にされた引換券が、
−  連続的に生成されたトランザクションコード、
−  ランダムに生成されたトランザクションコード、
−  予め決められた一連のトランザクションコード、および
−  有効にされていない引換券を提供する装置によって連続的にまたはランダムに生成されたユニークな引換券番号
からなる群から選択されるトランザクションコードを保持すること、ならびに
該有効にされた引換券が、有効にされていない引換券の代替引換券であり、該代替引換券が、引換券分配装置から、引換券印刷装置から、もしくは予め製造され、改変不可能であり、再使用可能であり、再有効化可能であり、かつ機械読取可能である引換券の供給源から、精算ユニットによって発行されること
を特徴とする、システム。
【請求項３】
有効にされていない引換券を提供するための装置が、その起動時にその物品用の有効にされていない引換券を印刷しうる物品を表示する選択パネルによって制御される印刷装置であることを特徴とする、請求項２に記載のシステム。
【請求項４】
有効にされていない引換券が、物品のタイプに関連する情報を保持することを特徴とする、請求項１、２または３に記載のシステム。
【請求項５】
物品タイプの情報が、数値コード、バーコード、ＥＡＮコード、ＵＰＣコード、磁気読み取り可能なコード、ｒｆラベル読み取り可能なコード、手動で解釈可能な物品識別コードからなる群から選択されることを特徴とする、請求項４に記載のシステム。
【請求項６】
物品タイプの情報が、物品の動画、物品名、物品価格、ユニークな引換券番号からなる群からさらに選択されることを特徴とする、請求項５に記載のシステム。
【請求項７】
有効にされた引換券上に付与されたトランザクションコードが、
数値コード、バーコード、ＥＡＮコード、ＵＰＣコード、磁気読み取り可能なコード、ｒｆラベル読み取り可能なコード、一連の数字、一連の文字、数字と文字との一連の組み合わせ、パンチ穴の少なくとも１つの列、プログラム可能なＩＣチップ、予めプログラムされたＩＣチップ
からなる群から選択されることを特徴とする、請求項１または２に記載のシステム。
【請求項８】
精算ユニットと物品分配装置との間の通信が、
−  超音波伝送、
−  電気光学伝送、
−  ｒｆ伝送、
−  ブルートゥース伝送、
−  有線伝送、
−  小売業者または業者の中央コンピュータユニットおよび商品トランザクション制御ユニットを介する伝送
からなる群から選択されることを特徴とする、請求項１〜７のいずれか１項に記載のシステム。
【請求項９】
精算ユニットがトランザクションコード・エンコーダ装置と物品分配装置に情報を伝送するための装置とを含むかこれらに接続されており、精算ユニットが物品タイプ情報スキャナ装置も備え、該スキャナ装置が該情報を該エンコーダ装置に伝達するためのものであり、該精算ユニットが引換券エンコーダ装置を介して物品分配装置と通信し、該引換券エンコーダ装置が、支払受領操作中に処理するための該精算ユニットにおける金銭出納装置に該情報を伝送し、該エンコーダ装置が、有効にされた物品引換券を発行するための印刷装置を制御するための制御ユニットも有することを特徴とする、請求項１〜８のいずれか１項に記載のシステム。
【請求項１０】
有効にされた引換券上のトランザクションコードがトランザクションコードの機械読み取りを介して比較装置において入力され、該機械が、
−  ＯＣＲ読取装置、
−  バーコードまたはＥＡＮコードをスキャンするための光学スキャナ、
−  電磁磁気ストリップ読取装置、
−  ＩＣチップ読取装置、
−  パンチ穴読取装置、
−  ｒｆラベルコード読取装置
からなる群から選択されることを特徴とする、請求項１〜９のいずれか１項に記載のシステム。
【請求項１１】
物品分配装置が、有効にされた引換券上の手動で読み取り可能なトランザクションコードを比較ユニットに入力するための、手動で操作されるキーパッド、キーボードまたはタッチスクリーンを有することを特徴とする、請求項１〜１０のいずれか１項に記載のシステム。
【請求項１２】
物品分配装置に伝達される第１のトランザクションコードと有効にされた引換券上に付与される第２のトランザクションコードとが、同じコードであるか、または、互いに関連するコード、例えば、相補的コード、対称コードもしくは非対称コードであることを特徴とする、請求項１〜１１のいずれか１項に記載のシステム。
【請求項１３】
選択パネルがタッチスクリーンであることを特徴とする、請求項１または３に記載のシステム。
【請求項１４】
有効にされた引換券が、分配されるべき物品用のパッケージの一部であるかまたは分配されるべき物品用のパッケージからなることを特徴とする、請求項１または２に記載のシステム。
【請求項１５】
有効にされた引換券上のトランザクションコードが、精算ユニットでのその処理において、パッケージに適用可能で、パッケージに伝送可能であるか、またはトランザクションコードを保持するパッケージ上の領域の覆いを外すことによって提供されることを特徴とする、請求項１４に記載のシステム。